(57)【特許請求の範囲】
【請求項１】
側枠部材と横枠部材とから構成されパネル本体の骨格を形成する構造枠体と、前記構造枠体の前後少なくとも一方の面に着脱可能に装着されるパネル要素とを具備してなるものにおいて、
前記構造枠体と前記パネル要素の対向面同士が離間している場合に、前記対向面同士間に介在してパネル要素のへこみを防止するへこみ防止部材を具備し、このへこみ防止部材が、取付姿勢を変化することにより、前記構造枠体とパネル要素の離間距離の変化に対応し得るものであり、
へこみ防止部材が、幅寸法と奥行寸法とを異なる寸法に設定してあるものであり、水平面内において略９０度回転させて取付姿勢を変化させることにより、前記構造枠体とパネル要素の離間距離の変化に対応し得るものであることを特徴とするパネル。
【請求項２】
へこみ防止部材が、着脱可能なものであることを特徴とする請求項１記載のパネル。
【請求項３】
へこみ防止部材が、構造枠体に取り付けられるものであり、所定の取付位置で前記パネル要素の対向面に添え設けられる添設部を具備していることを特徴とする請求項１又は２記載のパネル。
【請求項４】
へこみ防止部材が、構造枠体に嵌合し得る嵌合部と、この嵌合部を嵌合させる時に経過的に弾性変形し、所定の取付位置で元の形状に復元して前記構造枠体の一部に係り合う弾性爪とを具備していることを特徴とする請求項１、２又は３記載のパネル。
【請求項５】
へこみ防止部材が、前記横枠部材に取り付けてあることを特徴とする請求項１、２、３又は４記載のパネル。
【請求項６】
側枠部材と横枠部材とから構成されパネル本体の骨格を形成する構造枠体と、前記構造枠体の前後少なくとも一方の面に着脱可能に装着されるパネル要素とを具備してなるパネルにおいて、前記構造枠体と前記パネル要素の対向面同士が離間している場合に、前記対向面同士間に介在してパネル要素のへこみを防止するものであり、取付姿勢を変化することにより、前記構造枠体とパネル要素の離間距離の変化に対応し得るものであり、
幅寸法と奥行寸法とを異なる寸法に設定してあるものであり、水平面内において略９０度回転させて取付姿勢を変化させることにより、前記構造枠体とパネル要素の離間距離の変化に対応し得るものであることを特徴とするへこみ防止部材。
【請求項７】
着脱可能なものであることを特徴とする請求項６記載のへこみ防止部材。
【請求項８】
構造枠体に取り付けられるものであり、所定の取付位置で前記パネル要素の対向面に添え設けられる添設部を具備していることを特徴とする請求項６又は７記載のへこみ防止部材。
【請求項９】
構造枠体に嵌合し得る嵌合部と、この嵌合部を嵌合させる時に経過的に弾性変形し、所定の取付位置で元の形状に復元して前記構造枠体の一部に係り合う弾性爪とを具備していることを特徴とする請求項６、７又は８記載のへこみ防止部材。
【請求項１０】
横枠部材に取り付けてあることを特徴とする請求項６、７、８又は９記載のへこみ防止部材。
【発明の詳細な説明】
【０００１】
【発明の属する技術分野】
本発明は、可動間仕切等としてオフィス等で好適に利用されるパネル、及びそのパネルに利用されるへこみ防止部材に関するものである。
【０００２】
【従来の技術】
例えば、オフィス等で空間を仕切るものとして使用される可動間仕切等のパネルがある。この種のパネルとしては、パネル本体の骨格を形成する構造枠体と、この構造枠体の前後両面の略全域を覆う位置に着脱可能に装着されるパネル要素とを具備するものが挙げられる。
【０００３】
そして、このパネルをオフィス内で使用する際には、種々の使用態様に合わせて異なる厚み寸法のものを選択して利用するのが一般的である。例えば、パネルの配線機能を利用してオフィス内に配線を張り巡らしたい場合には、構造枠体とパネル要素間に形成される空間を配線空間として利用すべくパネルの厚み寸法が比較的厚いタイプのものを利用し、一方、オフィスの省スペース化を図る場合には、その厚み寸法が比較的薄いタイプのものを使用するなどの使用態様が考えられる。
【０００４】
従来、異なる厚み寸法のパネルを各種構成する際には、各種厚み寸法が異なる構造枠体を数種類用意し、これら構造枠体にパネル要素のみ共通のものを装着するようにしていたが、比較的大型で生産及び保管上の負担が大きい構造枠体において厚みの異なるものが各種必要となり、生産上の負担やコストが増大するだけでなく、常時、工場内に数種類を在庫しておかねばならないため専用の在庫スペースが必要となるなど、種々の負担が製造者側に生じるものであった。また、現場で簡単に使用者の要望に合わせて厚み変更できない等、使用変更や要求に対し柔軟に対応できないという不具合もあった。
【０００５】
そこで、このような不具合を解決するべく、構造枠体とパネル要素の対向面間に介在してパネルの厚みを調整し得る厚み調整部材を構造枠体に取り付けることにより、前記構造枠体やパネル要素等に変更を加えることなく、部分的若しくは全体的にパネルの厚みを変更できるように構成しているものがある。
【０００６】
【発明が解決しようとする課題】
しかしながら、この厚み調整部材を利用する場合には、構造枠体とパネル要素の対向面間が離間して前記対向面間に空間が形成されることになる。特に、パネル要素は、板金製の薄い板状部材を利用して構成するため、前述したように構造枠体とパネル要素とが離間していると、外力が働いた場合に、面板部にへこみを生じる恐れがあった。このようなへこみを防止するべく、パネル要素の裏面に添え設けられるへこみ防止部材を前記構造枠体に取り付けることも考えられる。
【０００７】
ところが、前述したように厚み調整部材を利用してパネルの厚みを変更させると、その変更の度にへこみ防止部材も別途異なる寸法のものを準備して取り付ける必要があり、部品点数の増加等を招くものであった。
【０００８】
そこで、本発明は、上述した課題に鑑み、パネルの厚みを変更することにより、構造枠体とパネル要素の対向面の離間距離が変化した場合にも、良好に対応し得るへこみ防止部材を提供することを目的とする。
【０００９】
【課題を解決するための手段】
すなわち、本発明は、側枠部材と横枠部材とから構成されパネル本体の骨格を形成する構造枠体と、前記構造枠体の前後少なくとも一方の面に着脱可能に装着されるパネル要素とを具備してなるものにおいて、前記構造枠体と前記パネル要素の対向面同士が離間している場合に、前記対向面同士間に介在してパネル要素のへこみを防止するへこみ防止部材を具備し、このへこみ防止部材が、取付姿勢を変化することにより、前記構造枠体とパネル要素の離間距離の変化に対応し得るものであり、へこみ防止部材が、幅寸法と奥行寸法とを異なる寸法に設定してあるものであり、水平面内において略９０度回転させて取付姿勢を変化させることにより、前記構造枠体とパネル要素の離間距離の変化に対応し得るものであることを特徴とする。
【００１０】
このような構成のものであると、例えば、パネルの厚みを変更させるべく、構造枠体とパネル要素の対向面間の離間距離が変化した場合には、前記へこみ防止部材の取付姿勢を変化させるだけで、異なる離間距離に良好に対応してパネル要素のへこみを有効に防止することができる。
【００１２】
パネルの厚み変更を簡便なものとするには、へこみ防止部材が、着脱可能なものであることが望ましい。
【００１４】
パネル要素のへこみをより有効に防止するには、へこみ防止部材が、構造枠体に取り付けられるものであり、所定の取付位置で前記パネル要素の対向面に添え設けられる添設部を具備していることが望ましい。
【００１５】
簡単且つ確実な取付方法を取るには、へこみ防止部材が、構造枠体に嵌合し得る嵌合部と、この嵌合部を嵌合させる時に経過的に弾性変形し、所定の取付位置で元の形状に復元して前記構造枠体の一部に係り合う弾性爪とを具備していることが望ましい。
【００１６】
好適な実施の態様としては、へこみ防止部材が、横枠部材に取り付けてあるものが挙げられる。
【００１７】
【発明の実施の形態】
以下、本発明の一実施の形態について説明する。
【００１８】
この実施の形態におけるパネル１は、図１及び図２に示すように、パネル本体６の骨格を形成する構造枠体２と、この構造枠体２の前後両面側に着脱可能に装着されるパネル要素３と、前記構造枠体２の上端部に取り付けられる笠木Ｋと、前記構造枠体２の下端部に取り付けられる巾木Ｈとを具備している。なお、図１では、前記笠木Ｋ及び巾木Ｈを想像線で示している。そして、本実施の形態のパネル１は、前記構造枠体２とパネル要素３とによって閉止される位置である内部空間を配線類を収納し得る配線空間Ｓとしている。
【００１９】
以下、各部の構成について説明する。
【００２０】
構造枠体２は、図２に示すように、パネル１の側端面を形成する略鉛直方向に沿って配置した左右の側枠部材２１と、これら左右の側枠部材２１を連結する略水平方向に沿って配置した複数の横枠部材２２とを具備し、これら側枠部材２１と横枠部材２２とを枠体状に連結している。側枠部材２１は、略鉛直方向に沿って位置する略角パイプ状のものである。横枠部材２２は、略水平方向に沿って位置する横断面略下向きコ字形のものであり、図５及び図８に示すように、頂壁２２１と、前後壁２２２及び底壁２２３とから構成されている。そして、その左右側端面を前記左右の側枠部材２１の内側面に当接させて、溶接等の適宜の手段で左右の側枠部材２１間に取り付けてある。
【００２１】
パネル要素３は、図２に示すように、板金製の板状部材を折り曲げて構成してある長方形状のもので、面板部３１の裏面側に芯材３２を充填してある。このパネル要素３は、上下方向に沿って複数枚連設されることにより、前記構造枠体２の略全域を覆う位置に設けてある。これらのパネル要素３には、コーナー部近傍の内面側にそれぞれ前記芯材３２に代えて上向爪部３３ａを有する第１の取付爪体３３と、下向爪部３４ａを有する第２の取付爪体３４が設けてあり、前記上向爪部３３ａ及び下向爪部３４ａを側枠部材２１の開口２１１に係り合わせることにより、前記側枠部材２１にパネル要素３を着脱可能に装着し得るようにしている。なお、本実施の形態では、前記面板部３１の裏面側のコーナー部近傍に第１、第２の爪部３５、３６を設け、これら第１、第２の爪部３５、３６に前記第１、第２の取付爪体３３、３４を着脱可能に取り付けるようにしており、パネル１の厚みを変更する場合には、異なる奥行寸法を有する第１、第２の取付爪体３３、３４を付け替える等することにより、前記構造枠体２とパネル要素３の対向面間の離間距離を変更するようにしている。
【００２２】
このような構成のものにおいて、本実施の形態では、前記構造枠体２と前記パネル要素３の対向面である横枠部材２２の前後面２２ａとパネル要素３の裏面３ａ同士が離間している場合に、前記前後面２２ａ、裏面３ａ間に介在してパネル要素３のへこみを防止するへこみ防止部材４を設けている。さらに、パネル１の厚みを変更した場合には、前記へこみ防止部材４の取付姿勢を変更することにより、前記構造枠体２とパネル要素３の離間距離の変化に対応するようにしている。
【００２３】
以下、前記へこみ防止部材４の構成について具体的に説明する。
【００２４】
へこみ防止部材４は、着脱可能なもので、図２に示すように、前記横枠部材２２の幅方向に沿った間欠位置に複数取り付けてある。このへこみ防止部材４は、幅寸法と奥行寸法とを異なる寸法に設定してあり、水平面内において略９０度回転させて取付姿勢を変化させることにより、前記横枠部材２２とパネル要素３の離間距離の変化に対応し得るものである。具体的には、長手方向をパネル１の厚み方向と略一致させて取り付ける第１の取付姿勢Ｐ（図２〜図４及び図５参照）と、長手方向をパネル１の幅方向と略一致させて取り付ける第２の取付姿勢Ｑ（図７及び図８参照）とを取り得るものである。前記へこみ防止部材４は、図３〜図５、図７及び図８に示すように、平面視略矩形状のへこみ防止部材本体４７と、前記第１の取付姿勢Ｐにおいて前記横枠部材４に嵌合し得る嵌合部たる第１の嵌合凹部４１と、この第１の嵌合凹部４１を前記横枠部材２２に上方から嵌合させる時に経過的に弾性変形し、所定の取付位置で元の形状に復元して前記横枠部材２２に係り合う弾性爪たる第１の弾性爪４２と、前記第１の取付姿勢Ｐを取った場合の所定の取付位置で前記パネル要素３の裏面３ａに添え設けられる添設部たる第１の添設部４３と、前記第２の取付姿勢Ｑにおいて前記横枠部材２２に嵌合し得る嵌合部たる第２の嵌合凹部４４と、この第２の嵌合凹部４４を前記横枠部材２２に上方から嵌合させる時に経過的に弾性変形し、所定の取付位置で元の形状に復元して前記横枠部材２２に係り合う弾性爪たる第２の弾性爪４５と、前記第２の取付姿勢Qを取った場合の所定の取付位置で前記パネル要素３の裏面３ａに添え設けられる添設部たる第２の添設部４６とを具備している。
【００２５】
以下、前記第１の嵌合凹部４１、第１の弾性爪４２、第１の添設部４３、第２の嵌合凹部４４、第２の弾性爪４５、第２の添設部４６の具体的な構成について、前記へこみ防止部材４が、第１の取付姿勢Ｐにある時の位置関係を例に取り、主として図３を参照して説明する。
【００２６】
第１の嵌合凹部４１は、前記第１の取付姿勢Ｐで、前記パネル１の幅方向に略沿って延出するように前記へこみ防止部材本体４７に設けた下向に開口する凹状のものであり、その下端部側に前記第１の弾性爪４２が設けてある。
【００２７】
第１の弾性爪４２は、前記第１の取付姿勢Ｐで、前記へこみ防止部材本体４７の左右側面から左右側方に向って突出した下突出片ｔ１を利用して構成してある。そして、この第１の弾性爪４２は、前記第１の嵌合凹部４１を前記横枠部材２２に上方から嵌合させる時に、前記横枠部材２２の前後壁２２２に押されて経過的に弾性変形し、所定の取付位置で元の形状に復元して前記横枠部材２２の底壁２２３に係り合って、へこみ防止部材４の上動を禁止するものである。
【００２８】
第１の添設部４３は、前記第１の取付姿勢Ｐで、パネル要素３の裏面３ａに添え設けられる面部であり、前記へこみ防止部材本体４７の前後面から前後方向に向って突出した上下突出片ｔ３、ｔ２の前後面を利用して構成してある。
【００２９】
第２の嵌合凹部４４は、前記第１の取付姿勢Ｐで、前記パネル１の厚み方向に略沿って延出するように、前記へこみ防止部材本体４７に設けた下向きに開口する凹状のものであり、その下端部側に前記第２の弾性爪４５が設けてある。
【００３０】
第２の弾性爪４５は、前記第１の取付姿勢Ｐで、前記へこみ防止部材本体４７の前後面から前後方向に向って突出した前記下突出片ｔ２を利用して構成してある。そして、前記第２の取付姿勢Ｑで、前記第２の嵌合凹部４４を前記横枠部材２２に上方から嵌合させる時に、前記横枠部材２２の前後壁２２２に押されて経過的に弾性変形し、所定の取付位置で元の形状に復元して前記横枠部材２２の底壁２２３に係り合って、へこみ防止部材４の上動を禁止するものである。
【００３１】
第２の添設部４６は、前記第１の取付姿勢Ｐで、前記へこみ防止部材本体４７の左右側面から左右方向に向って突出した下突出片ｔ１及び上突出片ｔ４の左右側面を利用して構成してある面部である。
【００３２】
次に、前記横枠部材２２に前記へこみ防止部材４を取り付ける場合の手順について説明する。前述したように、本実施の形態では、前記へこみ防止部材４に第１、第２の取付姿勢Ｐ、Ｑを取らせることにより、２種類のパネル１の厚みに対応し得るようにしている。
【００３３】
先ず、前記へこみ防止部材４が、第１の取付姿勢Ｐを取る場合について説明する。図３及び図９に示すように、前記へこみ防止部材４の長手方向をパネル１の厚み方向と略一致させた状態で、該へこみ防止部材４を上方から前記横枠部材２２に近づけ、前記第１の嵌合凹部４１内に横枠部材２２が挿入されるように鉛直下方に移動させる。この時、前記第１の弾性爪４２は、図９に示すように、前記横枠部材２２の前後壁２２２に押されて経過的に弾性変形し、前記第１の嵌合凹部４１内に横枠部材２２が挿入されるのを許容する。そして、この第１の弾性爪４２は、図５に示すような所定の取付位置で元の形状に復元して、前記横枠部材２２の底壁２２３に係り合い、前記へこみ防止部材４が所定の取付位置から上動することを禁止する。
【００３４】
次に、パネル１の厚みを変更した場合について説明する。
【００３５】
この場合には、先ず、前記第１の弾性爪４２の係り合いを解除して、第１の取付姿勢Ｐにある前記へこみ防止部材４を前記横枠部材２２から取り外し、図６に示すように、水平面内で略９０度回転させて前記へこみ防止部材４の長手方向がパネル１の厚み方向と略一致するように位置合わせをする。この状態で、前記へこみ防止部材４を上方から前記横枠部材２２に近づけ、前記第２の嵌合凹部４４内に横枠部材２２が挿入されるように鉛直下方に移動させる。この時、前記第２の弾性爪４５は、前記横枠部材２２の前後壁２２２に押されて経過的に弾性変形し、前記第２の嵌合凹部４４内に横枠部材２２が挿入されるのを許容する。そして、この第２の弾性爪４５は、所定の取付位置で元の形状に復元して、前記横枠部材２２の底壁２２３に係り合い、前記へこみ防止部材４が所定の取付位置から上動することを禁止する。
【００３６】
このような構成のものであると、例えば、パネル１の厚みを変更させるべく、横枠部材２２の前後面２２ａとパネル要素３の裏面３ａの離間距離が変化した場合には、前記へこみ防止部材４の取付姿勢を変更するだけで、異なる離間距離に良好に対応して、パネル要素３のへこみを有効に防止することができる。すなわち、パネル１の厚み寸法が変更される度に、別途異なるへこみ防止部材４を用意する必要がなく、１種類のへこみ防止部材４で良好に対応することができる。
【００３７】
へこみ防止部材４が、着脱可能なものであるので、パネル１の厚み変更を簡便なものとすることができる。
【００３８】
へこみ防止部材４が、幅寸法と奥行寸法とを異なる寸法に設定してあるものであり、水平面内において略９０度回転させて取付姿勢を変化させることにより、前記構造枠体２とパネル要素３の離間距離の変化に対応し得るので、本実施の形態のように、特に２種類の厚みのパネルに対応する場合には、複雑な操作等必要なく、非常に簡単にパネル１の厚み寸法を変更することができる。
【００３９】
へこみ防止部材４が、構造枠体２に取り付けられるものであり、所定の取付位置で前記パネル要素３の裏面３ａに添え設けられる第１、第２の添設部４３、４６を具備しているので、パネル要素３のへこみをより有効に防止することができる。
【００４０】
へこみ防止部材４が、構造枠体２に嵌合し得る第１、第２の嵌合凹部４１、４４と、これら第１、第２の嵌合凹部４１、４４を嵌合させる時に経過的に弾性変形し、所定の取付位置で元の形状に復元して前記横枠部材２２の底壁２２３に係り合う第１、第２の弾性爪４２、４５とを具備しているので、前記へこみ防止部材４を簡単且つ確実に横枠部材２２に取り付けることができる。
【００４１】
へこみ防止部材４が、横枠部材２２に取り付けてあるので、パネル要素３の中央部分を裏側から良好に支持することができ、へこみを良好に防止することができる。
【００４２】
なお、本発明における構成は、以上説明したものに限定されないのは勿論である。例えば、へこみ防止部材の構成は、上述したものに限定されない。さらに、本実施の形態では、へこみ防止部材の取付姿勢を変更することにより、パネルの厚み変更を行っていたが、これに限定されず、例えば、適宜の手段によりへこみ防止部材の形態を変更することによりパネルの厚み変更に対応するようにしてもよい。また、９０度以外の角度回転させることにより３種類以上の厚み寸法に対応させるようにする等、その他の構成も本発明の趣旨を逸脱しない範囲で種々変形が可能である。
【００４３】
【発明の効果】
本発明は、以上説明したような構成で実施され以下に記載されるような効果を奏する。
【００４４】
すなわち、本発明は、前記構造枠体とパネル要素の対向面同士間に介在してパネル要素のへこみを防止するへこみ防止部材の取付姿勢又は形態を変化することにより、前記構造枠体とパネル要素の離間距離の変化に対応し得るようにしているので、パネルの厚みを変更した場合にも、非常に簡単な構成で、前記パネル要素のへこみを有効に防止することができる。
【図面の簡単な説明】
【図１】本発明の一実施の形態を示す全体斜視図。
【図２】同分解斜視図。
【図３】同要部を示す分解斜視図。
【図４】同へこみ防止部材が第１の取付姿勢にある時の平断面図。
【図５】同へこみ防止部材が第１の取付姿勢にある時の側断面図。
【図６】同作用説明図。
【図７】同へこみ防止部材が第２の取付姿勢にある時の平断面図。
【図８】同へこみ防止部材が第２の取付姿勢にある時の側断面図。
【図９】同作用説明図。
【符号の説明】
１…パネル
２…構造枠体
２１…側枠部材
２２…横枠部材
２２ａ…対向面（前後面）
３…パネル要素
３ａ…対向面（裏面）
４…へこみ防止部材
４１…嵌合部（第１の嵌合凹部）
４２…弾性爪（第１の弾性爪）
４３…添設部（第１の添設部）
４４…嵌合部（第２の嵌合凹部）
４５…弾性爪（第２の弾性爪）
４６…添設部（第２の添設部）
６…パネル本体
Ｐ…取付姿勢（第１の取付姿勢）
Ｑ…取付姿勢（第２の取付姿勢）
【図１】
0004721586.tif 000002
【図２】
0004721586.tif 000003
【図３】
0004721586.tif 000004
【図４】
0004721586.tif 000005
【図５】
0004721586.tif 000006
【図６】
0004721586.tif 000007
【図７】
0004721586.tif 000008
【図８】
0004721586.tif 000009
【図９】
0004721586.tif 000010